(57)【要約】【課題】エッジライト方式の面光源装置において点状光源を使用した場合にも、プリズムシートを用いずに、入射光を効率良く正面に出射できるとともに輝度ムラを抑制することができる導光板を提供する。【解決手段】導光板14は点状光源15から出射された光を入射する端面14ａと、端面14ａから入射された光を出射する出射面18とを備え、出射面18と反対側の裏面には、点状光源15から導光板14に入射した光を出射面18に向けて反射させる反射部19が形成されている。出射面18には、３種の異なる頂角のプリズム21ａ，21ｂ，21ｃが、採光面20ａの延びる方向と直交する方向に延びるように、複数設けられている。プリズム21ａ〜21ｃは、異なる頂角のプリズム21ａ〜21ｃが一つずつ順に並んだ組が繰り返されるように配列されている。【選択図】      図１
2005085671.tif 000002
【特許請求の範囲】
【請求項１】
光源から出射された光を端面から入射するとともに、面状に変換して出射する導光板であって、
前記端面から入射された光を出射する出射面に、前記端面と直交する方向に延びるように異なる頂角のプリズムが複数設けられ、前記出射面と反対側の裏面には前記端面から入射されて導光板内を導波する光を前記出射面から出射する方向に反射させる反射部が形成されている導光板。
【請求項２】
前記プリズムは、異なる頂角のプリズムが一つずつ順に並んだ組が繰り返されるように配列されている請求項１に記載の導光板。
【請求項３】
前記光源は、複数の点状光源である請求項１又は請求項２に記載の導光板。
【請求項４】
前記各点状光源の正面と対応する部分に設けられたプリズムの頂角の平均値が、他の部分に設けられたプリズムの頂角の平均値より大きく形成されている請求項３に記載の導光板。
【請求項５】
前記導光板は入射された光を拡散させる導入部が突設され、前記導入部は、前記光の入射側から導光板本体側に向かって拡がる形状に形成されるとともに、前記導入部の幅方向に延びる面と平行な平面と点状光源からの光を拡散させる拡散部とが交互に繰り返して構成され、かつ前記点状光源と対向する入射部と、前記拡散部で拡散された光を前記導光板本体に向けて反射する反射部とを備えている請求項３又は請求項４に記載の導光板。
【請求項６】
前記導光板の裏面には、前記端面に沿って延びるとともに前記入射された光を前記出射面から出射する方向に反射させる採光面を構成する溝が複数形成されている請求項１〜請求項５のいずれか一項に記載の導光板。
【請求項７】
請求項１〜請求項６のいずれか一項に記載の導光板と、光源とを備えた面光源装置。
【発明の詳細な説明】
【技術分野】
【０００１】
本発明は、導光板及び面光源装置に係り、詳しくは光源からの出射光を入射して面状に出射するのに好適な導光板及び面光源装置に関する。
【背景技術】
【０００２】
液晶表示装置として液晶表示パネル（液晶パネル）の背面（表示面と反対側の面）に面光源装置をバックライトとして配置したものがある。この種の面光源装置として、透光性の高い材料で形成された導光板の端面と対向して光源を配置し、導光板の表面（液晶パネルと対向する側の面）から光が面状に出射されるエッジライト方式（サイドライト型）の装置が提案されている。光源としては、蛍光管（冷陰極管）を配置したもの及びＬＥＤを配置したものがあるが、ＬＥＤは指向性が強いため、輝線、明部、暗部などが生じ易い。
【０００３】
導光板から光を均一な面状に出射させる方法として、プリズムシートを使用して必要な輝度を得る方法があり、このような場合には一般にプリズムシートを２枚使用することが多い。
１個又は少ない数のＬＥＤを使用して導光板から光を均一な面状で出射させる方法としては、導光板の採光手段としての拡散ドットと拡散シートで拡散させることによって指向性を緩和し、プリズムシートで集光して必要な輝度を得る方法がある。この方法を用いる場合にも、一般にプリズムシートを２枚使用することが多い。しかし、プリズムシートを使用する構成では、部品点数が増えるため組み付け工数が増加するとともにコストも高くなる。
【０００４】
従来２枚使用されていたプリズムシートを１枚にすることを目的として、図８に示すように、導光板５１の両端面に光源として線状光源（蛍光灯）５２を配置し、導光板５１の出射面側に線状光源５２と対向する面と平行に延びるプリズム５３を設けたものがある（特許文献１参照。）。導光板５１は光散乱性に形成され、導光板５１の出射面と反対側（裏面）には、反射フィルム５４が配置されている。
【０００５】
また、エッジライト方式の面光源装置においては、光源が点状光源、線状光源に限らず、導光板の側面（端面）から入射された光のうち、出射面に対して垂直方向に出射する光量が少なく、入射光の利用効率が低い。この問題を解決する面光源装置として、出射面に微細プリズムの配列構造を有し、出射面に対向する底面に前記微細プリズムの延びる方向と交差する方向に延びる斜面からなる凸部又は凹部を周期的に有する導光板を備えたものが提案されている（特許文献２参照。）。前記各凸部又は凹部を構成する二つの斜面は、その大きさが異なり、両斜面の出射面に対する投影面積を比較すると、大きな斜面の投影面積が小さな斜面の投影面積の３倍以上となるように形成されている。
【特許文献１】特開平６−１８６５６０号公報（明細書の段落［００７３］〜［００７６］、図２，４）
【特許文献２】特開平１０−２８２３４２号公報（明細書の段落［００１０］〜［００２０］、図１，５）
【発明の開示】
【発明が解決しようとする課題】
【０００６】
特許文献１の構成では、プリズム５３が線状光源５２と平行に延びるように形成されているため、図９に示すように、線状光源５２から出射されて導光板５１内を導波する光のうち、プリズム５３の斜面５３ａから出射する方向が斜面５３ａへの入射方向より導光板５１に近づく側に屈折する光Ｌ１が多くなる。この光はプリズムシート無しでは有効出射光として利用できず、プリズムシート無しでは輝度が低下する。
【０００７】
一方、特許文献２に記載の導光板では、端面から入射された光を効率良く出射面から出射させることができ、プリズムシートを削減することも可能であるが、輝線対策は施されておらず、光源として点状光源を用いた場合は、輝線の発生を抑制できない。
【０００８】
導光板の屈折率は空気の屈折率より大きいため、導光板から出射する光の導光板と空気との界面における屈折角は入射角より大きくなる。特許文献２に記載の導光板のように、導光板の出射面に、入射面（導光板の端面）と直交する方向に延びる三角プリズムが形成された場合は、出射面側に向かった光は、三角プリズムの斜面に垂直な面との成す角度が大きくなるように屈折して進む。その結果、光が導光板の正面に集光される。導光板の正面とは出射面に対し垂直方向を意味する。しかし、三角プリズムの集光作用は、斜面に特定の角度で入射する光のみを図１０に示すように導光板６１の正面に向かって集光するが、それ以外の角度で入射する光は正面以外の方向へ出射させる。また、三角プリズム６４の頂角の値によっては、鎖線で示すように、三角プリズム６４の内部へ反射する場合もある。
【０００９】
点状光源６２から出射されて導光板６１に入射された光は、拡がりを持っている。従って、採光面６３で全反射する際の角度が場所によって異なる状態となる。その結果、特定の角度で採光面６３に入射する光が三角プリズム６４から出射する際に導光板６１の正面に出射されるようになる。例えば、三角プリズム６４の頂角が９０°で、採光面６３の成す角度が４５°では、図１１に示すように、点状光源６２からの拡がり角度αが約３４°の位置に輝線６５が発生する。また、隣接する点状光源６２から出射された輝線６５が重なった部分に局所的な明部６６が発生する。なお、図１０において破線の円Ａで囲まれた部分が図１１における破線の円Ａで囲まれた部分に対応し、図１０において破線の円Ｂで囲まれた部分が図１１における破線の円Ｂで囲まれた部分に対応する。  
【００１０】
本発明は前記の問題に鑑みてなされたものであって、第１の目的はエッジライト方式の面光源装置において、点状光源を使用した場合にも、プリズムシートを用いずに、入射光を効率良く正面に出射できるとともに輝度ムラを抑制することができる導光板を提供することにある。また、第２の目的は前記導光板を備えた面光源装置を提供することにある。
【課題を解決するための手段】
【００１１】
前記第１の目的を達成するため、請求項１に記載の発明は、光源から出射された光を端面から入射するとともに、面状に変換して出射する導光板である。導光板には、前記端面から入射された光を出射する出射面に、前記端面と直交する方向に延びるように異なる頂角のプリズムが複数設けられ、前記出射面と反対側の裏面には前記端面から入射されて導光板内を導波する光を前記出射面から出射する方向に反射させる反射部が形成されている。
【００１２】
この発明では、端面から入射された光は、導光板内を前記端面と反対側の端面に向かって導波される間に反射部で反射して、出射面に向かってその進行方向が変更される。そして、出射面に設けられたプリズムを経て出射される。従来の導光板のように出射面に設けられた全てのプリズムの頂角が同じ場合は、反射部で反射した光のうち、各プリズムの頂点と接する仮想平面に対して所定の角度を成すように反射した光のみが導光板の正面に出射されるため、正面から導光板を見た時に輝線や明部が発生し、輝度ムラが大きくなる。しかし、この発明では、異なる頂角のプリズムが設けられているため、入射面に対する角度が異なる輝線が多数発生することにより全体としては輝度が均一化され、結果として輝度ムラが抑制されるとともに、導光板の輝度が向上する。
【００１３】
請求項２に記載の発明は、請求項１に記載の発明において、前記プリズムは、異なる頂角のプリズムが一つずつ順に並んだ組が繰り返されるように配列されている。この発明では、入射面に対して角度が異なる輝線を導光板全体に満遍なく分布させ、全体として均一化することが容易になる。
【００１４】
請求項３に記載の発明は、請求項１又は請求項２に記載の発明において、前記光源は、複数の点状光源である。この発明では、輝線が発生し易い複数の点状光源を備えた場合において、輝度ムラの抑制及び導光板の輝度の向上を図ることができる。
【００１５】
請求項４に記載の発明は、請求項３に記載の発明において、前記各点状光源の正面と対応する部分に設けられたプリズムの頂角の平均値が、他の部分に設けられたプリズムの頂角の平均値より大きく形成されている。この発明では、各点状光源の正面において出射される光量が多くなり、点状光源の間と対応する部分おいて出射面から出射される光量が少なくなることにより、局所的な明部の発生がより抑制される。
【００１６】
請求項５に記載の発明は、請求項３又は請求項４に記載の発明において、前記導光板は入射された光を拡散させる導入部が突設され、前記導入部は、前記光の入射側から導光板本体側に向かって拡がる形状に形成されている。また、前記導入部の幅方向に延びる面と平行な平面と、点状光源からの光を拡散させる拡散部とが交互に繰り返して構成され、かつ前記点状光源と対向する入射部と、前記拡散部で拡散された光を前記導光板本体に向けて反射する反射部とを備えている。この発明では、点状光源からの光が、導入部によって拡散され、点状光源の正面や点状光源間に導波される光の指向性や光量が均一化される。従って、複数の点状光源を設けた際に、点状光源の正面や点状光源間の明部や暗部の発生や、導光板の輝度ムラをより低減することができる。
【００１７】
請求項６に記載の発明は、請求項１〜請求項５のいずれか一項に記載の発明において、前記導光板の裏面には、前記端面に沿って延びるとともに前記入射された光を前記出射面から出射する方向に反射させる採光面を構成する溝が複数形成されている。この発明では、端面から入射された光は、導光板内を前記端面と反対側の端面に向かって導波される間に採光面で反射して、出射面とほぼ垂直な方向に向かってその進行方向が変更される。そして、出射面に設けられたプリズムを経て出射される。従って、裏面にドットを設け、このドットによって散乱させる場合に比較して、端面から入射された光を導光板の出射面から観察者に向かう方向に出射させるのが容易になる。
【００１８】
第２の目的を達成するため、請求項７に記載の発明の面光源装置は、請求項１〜請求項６のいずれか一項に記載の導光板と、光源とを備えている。この発明では、サイドライト型の面光源装置において、請求項１〜請求項６のいずれか一項に記載の導光板を使用した場合と同様な効果が得られる。
【発明の効果】
【００１９】
本発明によれば、エッジライト方式の面光源装置において、点状光源を使用した場合にも、プリズムシートを用いずに、入射光を効率良く正面に出射できるとともに輝度ムラを抑制することができる。
【発明を実施するための最良の形態】
【００２０】
（第１の実施形態）
以下、本発明を液晶表示装置のサイドライト型のバックライトに使用される面光源装置の導光板に具体化した第１の実施形態を図１〜図４に従って説明する。図１（ａ）は導光板と点状光源の関係を示す模式斜視図、図１（ｂ）は導光板の裏面を出射面側から見た模式斜視図、図２は液晶表示装置の模式図である。図３（ａ）は採光面の作用を示す模式図、（ｂ）はプリズムの作用を示す模式斜視図である。図４は作用を示す模式平面図である。
【００２１】
図２に示すように、液晶表示装置１１は、液晶パネル１２と、その背面（表示面と反対側の面）側に配置されたバックライトとしての面光源装置１３とを備えている。面光源装置１３は、導光板１４と、導光板１４の一方の端面１４ａと対向する位置に配置された複数の点状光源１５とを備えている。点状光源１５としてはＬＥＤ（発光ダイオード）が使用されている。
【００２２】
面光源装置１３には、導光板１４を挟んで液晶パネル１２と反対側に位置し、導光板１４から漏れた光を導光板１４に戻して出射光として利用するための反射部材（反射シート）１６が設けられている。また、導光板１４と液晶パネル１２との間には、拡散シート１７が配置されている。
【００２３】
次に導光板１４について詳細に説明する。導光板１４は透明性の高い材料、例えばアクリル樹脂で形成されている。図１（ａ）に示すように、導光板１４は、ほぼ四角形状に形成され、点状光源１５から出射された光を入射する端面１４ａ（入射面）と、端面１４ａから入射された光を出射する出射面１８とを備え、出射面１８と反対側の裏面には、点状光源１５から導光板１４に入射した光を出射面１８に向けて反射させる反射部１９が形成されている。
【００２４】
反射部１９は、端面１４ａに沿って延びるように形成された複数の平行な溝２０により構成されている。溝２０は、端面１４ａ側から対向面１４ｂ側に向かって上昇傾斜する採光面２０ａと、端面１４ａ側から対向面１４ｂ側に向かって下降傾斜する導波面（傾斜面）２０ｂとが交互に連なるように設けられている。即ち、各溝２０は点状光源１５と対向する端面１４ａと直交する平面による断面形状が鋸歯状となるように隣接して形成されている。
【００２５】
採光面２０ａは、端面１４ａから導光板１４に入射され、採光面２０ａに到達した光を、端面１４ａの下端を含み端面１４ａと直交する方向に延びる仮想平面（図示せず）に対してほぼ直角に近い角度で出射面１８の方向に全反射させる角度に形成されている。図３（ａ）に示すように、溝２０は、採光面２０ａが前記仮想平面と平行な平面Ｐ１と成す角度θ１が例えば３５°〜５０°、好ましくは４０°〜４５°の範囲の所定の角度に、導波面２０ｂが平面Ｐ１と成す角度θ２が例えば０．３°〜２．５°の範囲の所定の角度に形成されている。
【００２６】
出射面１８には、異なる頂角のプリズム２１ａ，２１ｂ，２１ｃが採光面２０ａの延びる方向と直交する方向に延びるように、即ち端面１４ａと直交する方向に延びるように複数設けられている。この実施形態では３種の異なる頂角のプリズム２１ａ，２１ｂ，２１ｃが設けられ、異なる頂角のプリズム２１ａ〜２１ｃが一つずつ順に並んだ組が繰り返されるように配列されている。この実施形態では頂角が大のプリズム２１ａ、頂角が中のプリズム２１ｂ、頂角が小のプリズム２１ｃの順に配列されている。この実施形態では各プリズム２１ａ〜２１ｃの配置は、各点状光源１５の位置を配慮せずに設定されている。
【００２７】
各プリズム２１ａ〜２１ｃは、長手方向と直交する切断面での断面形状が二等辺三角形状に形成され、端面が前記仮想平面とほぼ垂直になるように形成されている。また、各プリズム２１ａ〜２１ｃは互いに隣接するように形成され、出射面１８は端面１４ａと直交する方向に延びる一対の斜面を有するプリズム２１ａ〜２１ｃが繰り返し形成された構成となっている。
【００２８】
プリズム２１ａ〜２１ｃの幅は１０〜５００μｍ、好ましくは５０〜３００μｍの範囲の所定の大きさに形成され、点状光源１５の幅は例えば３ｍｍに形成されている。この明細書において、点状光源１５及びプリズム２１ａ〜２１ｃの大きさの比は、図示の都合上実際とは異なっており、点状光源１５の数も実際とは異なっており２個のみ図示している。
【００２９】
各プリズム２１ａ〜２１ｃからの出射光の状態は、プリズム２１ａ〜２１ｃの頂角、採光面２０ａが平面Ｐ１と成す角度θ１、導波面２０ｂが平面Ｐ１と成す角度θ２の値や点状光源１５の指向性によって異なる。従って、シミュレーションあるいは試験により導光板１４に点状光源１５から光を入射させた状態で、導光板１４に生じる輝線が全体に満遍なく生じるように、導光板１４の設計が行われる。
【００３０】
採光面２０ａが平面Ｐ１と成す角度θ１を４５°とした場合について、プリズムの頂角と、正面（天頂角５度以内）に出射するための入射光の方位角との関係をシミュレーションで求めた結果を表１に示す。導光板の正面から観測した場合に、各欄に記載された括弧内の角度で輝線が発生する。この角度は図１１においてはα／２に相当する。なお、出射光の天頂角とはプリズムがない状態の出射面に垂直な線と出射光との成す角度を意味し、入射光の方位角とは、導光板１４の上方（出射面と対向する側）から見た状態で、入射光がプリズムの軸方向と成す角度を意味する。
【００３１】
【表１】
2005085671.tif 000003
導光板１４を設計する際は、表１を参考にして、先ず各プリズム２１ａ〜２１ｃの頂角を決め、所定の等ピッチで形成したときの輝度の状態をシミュレーションで見る。次に、各プリズム２１ａ〜２１ｃに基づく輝度の差が小さくなるように頂角を変更する。ピッチを小さくすると金型の加工費が高くなるため、ピッチは大きな方が好ましく、例えば２００〜３００μｍの範囲に設定される。拡散シートを使用すれば、ピッチが３００μｍでもプリズムは肉眼で視認されない。
【００３２】
次に前記のように構成された導光板１４の作用について説明する。導光板１４は、例えば、図２に示すように、透過型の液晶表示装置１１のバックライトユニットとしての面光源装置１３に組み込まれて使用される。点状光源１５は複数設けられている。
【００３３】
点状光源１５が点灯されると、点状光源１５から出射した光が導光板１４に入射し、入射した光は導光板１４の出射面１８から液晶パネル１２に向かって出射され、拡散シート１７を経て液晶パネル１２に入射される。そして、液晶表示装置１１の使用者は液晶パネル１２の表示をその出射光により視認する。
【００３４】
導光板１４における作用を詳しく説明すると、点状光源１５から出射した光の大部分は端面１４ａから導光板１４に入射される。導光板１４に入射された光は導光板１４内を導波する。そのうち、採光面２０ａに到達した光は、図３（ａ）に示すように、出射面１８に向かうように反射されて出射面１８から出射する。
【００３５】
端面１４ａから導光板１４内に入射した光が全て採光面２０ａに向かって直進するとは限らず、採光面２０ａに到達する光には、導波面２０ｂや出射面１８で全反射しながら導光板１４内を導波した後、採光面２０ａに到達する光もある。導波面２０ｂが端面１４ａ側から対向面１４ｂ側に向かって下降傾斜するように形成されている。そのため、直接採光面２０ａに向かって導波する以外の光は、導波を繰り返すうちに、平面Ｐ１と平行な方向に近づき、採光面２０ａで効率よく出射面１８の方向に反射される。
【００３６】
点状光源１５から正面に向かって出射された光と、点状光源１５から採光面２０ａに対して斜めに出射された光とを比較すると、後者の方が採光面２０ａで全反射してプリズム２１ａ〜２１ｃ内に進んだ後、プリズム２１ａ〜２１ｃの表面から液晶パネル１２に向かって出射される割合が大きい。これは、次のような理由による。
【００３７】
すなわち、点状光源１５から正面に出射された光は、採光面２０ａで平面Ｐ１に略垂直に反射され、点状光源１５から斜めに出射された光は採光面２０ａで平面Ｐ１に対して斜めに反射される。前者の光は、プリズム２１ａ〜２１ｃの斜面の法線とのなす角が大きいため、プリズム２１ａ〜２１ｃで反射し内部に導波するものの割合が大きい。後者の光はプリズム２１の斜面の法線とのなす角が小さいため、プリズム２１ａ〜２１ｃから外部に出射されるものの割合が大きくなるからである。
【００３８】
また、プリズム２１ａ〜２１ｃから外部に出射される光の天頂角は、プリズム２１ａ〜２１ｃの頂角と、プリズム２１ａ〜２１ｃの斜面への入射光の方位角とによって異なり、輝線が発生する位置もそれによって異なる。そして、従来の導光板は、出射面に一定の頂角のプリズムが設けられていたので、図１１に示すように、導光板に発生する輝線は導光板の端面と垂直な直線との成す所定の角度α／２の位置に現れる。
【００３９】
しかし、この実施の形態では異なる頂角のプリズム２１ａ〜２１ｃが複数設けられており、各プリズム２１ａ〜２１ｃの頂角と、入射光の方位角に適した光が入射されるとプリズム２１ａ〜２１ｃから正面へ向かって出射されるようになる。即ち、図３（ｂ）に示すように、点状光源１５から出射された光の角度によって、プリズム２１ａ〜２１ｃからの出射光は導光板１４の正面に出射する状態となる。従って、輝線の位置を決定する角度α／２がプリズム２１ａ〜２１ｃの種類に応じて存在する状態となる。図４に頂角の異なる２種類のプリズムが存在する導光板１４における、輝線２２の発生状態を示す。図４に示すように、異なる角度αの位置に輝線２２が発生するため、導光板全体として輝線２２が目立たなくなり、輝度ムラが抑制される。３種のプリズム２１ａ〜２１ｃが存在するこの実施形態では、輝線２２がより目立たなくなり、輝度ムラもより抑制される。
【００４０】
この実施形態では以下の効果を有する。
（１）  導光板１４には、その端面１４ａから入射された光を出射する出射面１８に、端面１４ａと直交する方向に延びるように異なる頂角のプリズム２１ａ〜２１ｃが複数設けられている。従って、複数の点状光源１５から導光板１４に入射する光によって輝線２２の発生する位置が、端面１４ａと直交する方向に対する角度α／２が異なる複数箇所となり、輝線２２が満遍なく導光板１４全体に発生する状態となって、結果として輝度ムラが抑制されるとともに、導光板１４の輝度が向上する。
【００４１】
（２）  導光板１４の裏面には、端面１４ａに沿って延びるとともに前記入射された光を出射面１８から出射する方向に反射させる採光面２０ａを構成する溝２０が複数形成されている。従って、裏面にドットを設ける場合に比較して、端面１４ａから入射された光を導光板１４の出射面１８から観察者に向かう方向に出射させることが容易となる。
【００４２】
（３）  プリズムは、異なる頂角のプリズム２１ａ〜２１ｃが一つずつ順に並んだ組が繰り返されるように配列されている。従って、端面に対して角度が異なる輝線２２を導光板１４全体に満遍なく分布させるのが容易になる。
【００４３】
（４）  各プリズム２１ａ〜２１ｃはそのピッチが同じに形成されている。従って、プリズム２１ａ〜２１ｃのピッチが異なるように形成する場合に比較して、導光板１４を射出成形する際の金型の製造が容易になる。
【００４４】
（５）  プリズムシートを用いなくても、入射光を効率よく正面に出射できかつ輝度ムラを抑制できる。このため、面光源装置１３を構成する部品点数が少なくなって、組立工数を低減でき、製造コストを低減できる。導光板１４にプリズム２１ａ〜２１ｃを形成する必要がある。しかし、導光板１４は金型を使用して射出成形などで製造されるため、金型のコストが多少高くなるが、多数の導光板１４を製造することにより、一枚当たりの導光板１４の製造コストは、プリズムを設けない導光板の製造コストと、プリズムシートの単価との合計より低くできる。
【００４５】
（６）  面光源装置１３は拡散シート１７を備えている。従って、導光板１４において導光板１４から出射された光が拡散シート１７を通過して液晶パネル１２に入射する際には、輝線２２を肉眼で判別できない状態にすることができる。
【００４６】
（第２の実施形態）
次に、本発明を具体化した導光板１４の第２の実施形態を図５（ａ），（ｂ）に従って説明する。この実施形態では、導光板１４に点状光源１５から出射された光を入射するための導入部が突設されている点が前記第１の実施形態と大きく異なっている。第１の実施形態と同様な部分は同一符号を付して詳しい説明を省略する。なお、図５（ａ）は導光板１４と点状光源１５の関係を示す模式斜視図、（ｂ）は導入部の模式平面図である。なお、（ｂ）ではプリズム２１ａ〜２１ｃの図示を省略している。
【００４７】
図５（ａ）に示すように、導光板１４の対向面１４ｂと反対側、即ち光の入射側の端面１４ａに導入部２３が複数、隣接して設けられている。導入部２３は、入射部２４及び反射部２５を備えている。導入部２３は、図５（ｂ）に示すように、光の入射側から導光板１４の本体側に向かって拡がる形状に形成されるとともに、基端（点状光源１５と対向する側の端部）の幅Ｋ（図における左右方向の長さ）が点状光源１５の幅よりも大きく形成されている。なお、この実施の形態では、導入部２３は対称な形状になっている。入射部２４は、点状光源１５と対向するとともに、導入部２３の幅方向に延びる面２６と平行な平面２４ａと、点状光源１５からの光を拡散させる拡散部としてのＶ型溝２４ｂとが交互に等間隔で繰り返して構成されている。Ｖ型溝２４ｂを構成する面と、入射部２４における平面２４ａとのなす角度θの値は１２０度〜１５５度の間の値となっている。
【００４８】
反射部２５は、Ｖ型溝２４ｂで拡散された光を導光板本体に向けて反射するように形成されている。反射部２５は平面状である。そして、反射部２５と導入部２３の幅方向に延びる面２６とがなす角度βの値は４０度〜６５度の間の値となっている。ここで、導光板本体とは、導光板１４の導入部２３を除いた部分を意味する。
【００４９】
この実施形態では、点状光源１５から出射した光の大部分は入射部２４に到達する。入射部２４に到達した光のうち一部は、導入部２３の幅方向に延びる面２６と平行な平面２４ａから導入部２３に入射される。導入部２３の幅方向に延びる面２６と平行な平面２４ａから導入部２３に入射された光の多くは、平面２４ａにおいて、その進行方向が平面２４ａと垂直な方向に近づくように屈折し、導入部２３及び導光板１４の内部を導波する。
【００５０】
一方、入射部２４に到達した光のうち残りの一部は、Ｖ型溝２４ｂによって、反射部２５に向けて屈折されて導入部２３に入射される。そして、反射部２５において、その多くは導光板１４の幅方向と垂直な方向に近づくように反射される。反射部２５で反射された光は、導光板１４のうち、点状光源１５と点状光源１５との間に位置する部分を導波する。  
【００５１】
従って、この第２の実施形態によれば、第１の実施形態の（１）〜（６）と同様な効果を有する他に次の効果を有する。
（７）  導光板１４には入射された光を拡散させる導入部２３が突設され、点状光源１５からの光が、導入部２３によって拡散されるため、導入部２３がない場合に比較して、点状光源１５間や点状光源１５の正面に対応する部分に導波される光の指向性や光量が均一化される。従って、複数の点状光源１５間に暗部や明部が発生したり、点状光源１５の正面に明部や暗部が発生したりするのを抑制し易くなり、導光板１４から出射される光の点状光源１５の近傍に発生する輝度ムラをより低減することができる。
【００５２】
実施の形態は前記に限定されるものではなく、例えば、次のように具体化してもよい。
〇  各点状光源１５の正面と対応する部分に設けられたプリズムの頂角の平均値が、他の部分に設けられたプリズムの頂角の平均値より大きく形成されている。例えば図６に示すように、頂角の大きなプリズム２１ｃが各点状光源１５の正面と対応するように形成する。頂角の大きなプリズム２１ｃの方が、頂角の小さなプリズム２１ａに比較して、点状光源１５から正面に出射された光をプリズム２１ｃから外部に出射する割合が多くなる。従って、この場合、各点状光源１５の間と対応する部分おいて出射面から出射される光量が少なくなることにより、局所的な明部の発生がより抑制される。
【００５３】
○  点状光源１５に対してプリズム２１ａ〜２１ｃを略対称に配置してもよい。
○  プリズム２１ａ〜２１ｃの配列パターンは前記実施形態のパターンに限らず、各プリズム２１ａ〜２１ｃが任意の順序で配列されてもよい。しかし、各プリズム２１ａ〜２１ｃが一定の配列パターンで配列された構成の方が、導光板１４の設計が容易になる。
【００５４】
○  導光板１４を設計する際、プリズム２１ａ〜２１ｃの頂角を変更する代わりにピッチを変更したり、頂角及びピッチの両方を変更してもよい。
〇  プリズムの種類は３種類に限らず、２種類以上であればよい。しかし、頂角の差を小さくして（例えば、５°の差）他種類のプリズムを設けても、製造コストが高くなる割に効果の向上が少ない。従って、プリズムとしては、頂角の差が大きな物を５種設ければ十分である。
【００５５】
〇  プリズム２１ａ〜２１ｃは必ずしも隣接するプリズム２１ａ〜２１ｃが連続する必要はなく、例えば、図７に示すように、各プリズム２１ａ〜２１ｃを一定間隔Ｓをおいて配置してもよい。即ち、隣接するプリズム間に平坦部２１ｄが存在してもよい。間隔Ｓは、プリズムの幅Ｗの１／１０以下が好ましい。
【００５６】
〇  プリズム２１ａ〜２１ｃのピッチＰあるいは幅Ｗは一定に限らず、幅Ｗが異なるように形成してもよい。しかし、ピッチＰあるいは幅Ｗが一定の方が金型の製造が容易となる。
【００５７】
〇  導入部２３に設けられる入射部２４は、導入部２３の幅方向に延びる面２６と平行な平面２４ａと、点状光源１５からの光を拡散させる拡散部としてのＶ型溝２４ｂとが交互に等間隔で繰り返す構成に限らず、例えば、Ｖ型溝２４ｂが連続して繰り返す構成としてもよい。
【００５８】
○  導光板１４は、その厚さがマクロ的に見て一定ではなく、マクロ的に見て端面１４ａ側から対向面１４ｂ側に向かって次第に薄くなるほぼ楔状や、中央部が板厚な形状に形成されていてもよい。
【００５９】
○  端面１４ａから入射された光を導光板１４の出射面１８から出射させる構成として、採光面２０ａと導波面２０ｂとが鋸歯状に連続する構成の反射部１９を裏面に設ける構成に限らず、例えば、体積散乱を利用した採光手段を設けてもよい。体積散乱を利用した採光手段とは、導光板１４を構成する透明性の高い材料中に気泡又は導光板１４の材料と屈折率の異なる材料製のビーズを分散させることにより、光（可視光）を反射あるいは屈折させる機能を有するものを意味する。導光板１４の裏面側には反射シートを配設する。この構成を採用する場合は、導光板１４は、その厚さがマクロ的に見て端面１４ａ側から対向面１４ｂ側に向かって次第に薄くなるほぼ楔状に形成するのが好ましい。
【００６０】
〇  面光源装置１３において拡散シート１７を省略してもよい。拡散シート１７を設ける方が、面光源装置１３の出射面全体の輝度ムラを低くすることができる。しかし、面光源装置１３が使用される表示装置に要求される表示部の精細度によっては、拡散シート１７を省略しても、輝度ムラを実用上問題のない状態にまで抑制できる。
【００６１】
○  液晶表示装置１１は、透過型の液晶パネル１２を使用するとともに、面光源装置１３をバックライトとして使用する構成に限らず、面光源装置１３をフロントライトとして使用するとともに、反射型の液晶パネルを使用する構成としてもよい。この構成においても、出射面１８が液晶パネルと対向する側に設けられる。しかし、バックライトとして使用する構成と異なり、反射部１９の外側に反射部材１６は設けられない。この液晶表示装置１１は外部が明るい場合は、外光が導光板１４の反射部１９側から入射され、導光板１４を透過して出射面１８から出射され、液晶パネルを照射する。液晶パネルを照射した光は液晶パネルで反射し、再び導光板１４に入射して導光板１４を透過し、出射面１８と対向する面（反射部１９）から出射し、目で視認される。出射面１８に多数のプリズム２１ａ〜２１ｃが形成されているが、プリズム２１ａ〜２１ｃの幅を狭くすることにより、液晶パネルの画像は正常に目で視認できる。外部環境が暗い状態では、点状光源１５が点灯され、端面１４ａから入射した光が前記実施形態と同様にして出射面１８から出射され、液晶パネルを照射する。
【００６２】
○  第２の実施形態では、導入部２３を対称な形状としたが、導入部２３は非対称な形状であってもよい。
〇  光源として点状光源１５に代えて線状光源を使用する面光源装置に適用してもよい。
【００６３】
以下の技術的思想（発明）は前記実施の形態から把握できる。
（１）  請求項１〜請求項６のいずれか一項に記載の導光板において、前記異なる頂角のプリズムは、その頂角の差が１０°以上である。
【図面の簡単な説明】
【００６４】
【図１】（ａ）は第１の実施形態の導光板と点状光源の関係を示す模式斜視図、（ｂ）は裏面を出射面側から見た部分模式斜視図。
【図２】液晶表示装置の模式図。
【図３】（ａ）は採光面の作用を示す模式図、（ｂ）はプリズムの作用を示す斜視図。
【図４】輝線の現れる状態を示す模式平面図。
【図５】（ａ）は第２の実施形態の導光板と点状光源の関係を示す模式斜視図、（ｂ）は導入部の模式平面図。
【図６】別の実施形態のプリズムの配置を示す模式斜視図。
【図７】別の実施形態のプリズムの配置を示す部分模式図。
【図８】従来技術の模式斜視図。
【図９】作用を説明する模式図。
【図１０】採光面及び三角プリズムの作用を示す模式斜視図。
【図１１】輝線の現れる状態を示す模式平面図。
【符号の説明】
【００６５】
Ｐ１，２４ａ…平面、１４…導光板、１４ａ…端面、１５…点状光源、１８…出射面、１９，２５…反射部、２０…溝、２０ａ…採光面、２１ａ，２１ｂ，２１ｃ…プリズム、２３…導入部、２４…入射部、２６…面。
【図１】
2005085671.tif 000004
【図２】
2005085671.tif 000005
【図３】
2005085671.tif 000006
【図４】
2005085671.tif 000007
【図５】
2005085671.tif 000008
【図６】
2005085671.tif 000009
【図７】
2005085671.tif 000010
【図８】
2005085671.tif 000011
【図９】
2005085671.tif 000012
【図１０】
2005085671.tif 000013
【図１１】
2005085671.tif 000014